(57)【要約】【課題】任意の固定パターンを表示する表示パネルを短時間でかつ低コストで作成することができる固定表示パネル作成方法及びその任意の固定パターンを表示する表示パネルを提供する。【解決手段】マトリックス表示パネルを用いて、所定の固定パターンに対応させてマトリックス表示パネルの複数の画素部各々のメモリ素子の保持状態を２値のうちの一方又は他方の値に変化させ、ｍ本の駆動線を共通接続して一方の電極とし、ｎ本の走査線を共通接続して他方の電極とする。【選択図】　図２
2004101983.tif 000002
【特許請求の範囲】
【請求項１】
ｍ（ｍは２以上の整数）本の駆動線と、前記ｍ本の駆動線と交差するように配置されたｎ（ｎは２以上の整数）本の走査線と、前記ｍ本の駆動線と前記ｎ本の走査線との各交差部分に配置されて各々が不揮発性の２値メモリ素子と自発光素子とからなり、前記メモリ素子が２値のうちの一方の値を保持するとき前記自発光素子が駆動線と走査線との間に対して電気的に非接続の状態となり、前記メモリ素子が２値のうちの他方の値を保持するとき前記自発光素子が前記駆動線と走査線との間に対して電気的に接続の状態となる複数の画素部と、を備えたマトリックス表示パネルから固定パターン表示パネルを作成する方法であって、
所定の固定パターンに対応させて前記複数の画素部各々の前記メモリ素子の保持状態を前記２値のうちの一方又は他方の値に変化させる書込ステップと、
前記ｍ本の駆動線を共通接続して一方の電極とし、前記ｎ本の走査線を共通接続して他方の電極とする電極作成ステップと、を備えたことを特徴とする固定パターン表示パネル作成方法。
【請求項２】
前記複数の画素部の各々において前記駆動線と走査線との間に前記メモリ素子と前記自発光素子とが直列に接続され、
前記メモリ素子は、初期状態には前記一方の値に対応した高インピーダンスの状態であり、所定の閾値電圧以上の書込電圧の印加によって前記他方の値に対応した低インピーダンスの状態に変化する素子であり、
前記書込ステップは、前記所定の固定パターンで発光させる箇所に対応した前記画素部各々の前記メモリ素子と前記自発光素子との直列回路に前記書込電圧を印加させることを特徴とする請求項１記載の固定パターン表示パネル作成方法。
【請求項３】
前記書込ステップは、前記所定の固定パターンに対応したｍ×ｎビットのパターンデータを作成し、
前記ｎ本の走査線を所定の順番に走査して走査中の走査線に基準電位を印加し、
前記ｍ×ｎビットのパターンデータのうちの前記走査中の走査線に対応するｍビットを取り出し、そのｍビットのうちの発光を示すビットに対応した駆動線に前記書込電圧を印加することを特徴とする請求項２記載の固定パターン表示パネル作成方法。
【請求項４】
前記メモリ素子は有機メモリ素子であり、前記自発光素子は有機エレクトロルミネッセンス素子であることを特徴とする請求項２記載の固定パターン表示パネル作成方法。
【請求項５】
ｍ（ｍは２以上の整数）本の駆動線と、
前記ｍ本の駆動線と交差するように配置されたｎ（ｎは２以上の整数）本の走査線と、
前記ｍ本の駆動線と前記ｎ本の走査線との各交差部分に配置されて各々が不揮発性の２値メモリ素子と自発光素子とからなり、所定の固定パターンに対応して各々の前記メモリ素子が２値のうちの一方又は他方の値を保持しており、前記メモリ素子が前記一方の値を保持しているとき前記自発光素子が駆動線と走査線との間に対して電気的に非接続の状態となり、前記メモリ素子が前記他方の値を保持しているとき前記自発光素子が前記駆動線と走査線との間に対して電気的に接続の状態となる複数の画素部と、
前記ｍ本の駆動線を共通接続した一方の電極と、
前記ｎ本の走査線を共通接続した他方の電極と、を備えたことを特徴とする固定パターン表示パネル。
【請求項６】
前記一方の電極と他方の電極との間に電池の出力電圧が印加されることを特徴とする請求項５記載の固定パターン表示パネル。
【請求項７】
ｍ（ｍは２以上の整数）本の駆動線と、前記ｍ本の駆動線と交差するように配置されたｎ（ｎは２以上の整数）本の走査線と、前記ｍ本の駆動線と前記ｎ本の走査線との各交差部分に配置されて各々が不揮発性の２値メモリ素子と自発光素子との直列回路からなり、前記メモリ素子が２値のうちの一方の値を保持しているとき前記自発光素子が駆動線と走査線との間に対して電気的に非接続の状態となり、前記メモリ素子が２値のうちの他方の値を保持しているとき前記自発光素子が前記駆動線と走査線との間に対して電気的に接続の状態となる複数の画素部と、を備えたマトリックス表示パネルの前記メモリ素子に対して固定パターンデータを書き込む書込装置であって、
前記所定の固定パターンに対応したｍ×ｎビットのパターンデータを作成する手段と、
前記ｎ本の走査線を所定の順番に走査し走査中の走査線にアース電位を印加する走査手段と、
前記ｍ×ｎビットのパターンデータのうちの前記走査中の走査線に対応するｍビットを取り出し、そのｍビットのうちの発光を示すビットに対応した駆動線に前記書込電圧を印加する駆動手段と、を備えたことを特徴とするデータ書込装置。
【発明の詳細な説明】
【０００１】
【発明が属する技術分野】
本発明は、固定パターンを表示するための表示パネル作成方法及び固定パターンを表示する表示パネルに関する。
【０００２】
【従来の技術】
カーステレオやＤＶＤプレーヤ等のＡＶ機器の操作表示に用いられる表示パネルとしては予め定められた固定パターンだけを表示するものが多い。
従来、文字或いは画像からなる固定パターンを表示パネルに表示させるためには、表示パネルの製造段階でセグメント表示パネルとして形成する必要があった。すなわち、固定パターン表示用の表示パネルとして表示パネル自体が製造されるのである。
【０００３】
【発明が解決しようとする課題】
しかしながら、従来の固定パターン表示用の表示パネルは、製造後に特定の固定パターン以外のパターンに変更することは不可能であり、汎用性が全くなかった。また、従来の固定パターン表示用の表示パネルの場合には、特定の固定パターンを表示するものを少量だけ製造することはコスト高を招来し、また任意の固定パターンの表示パネルを短時間で製造することは困難であった。
【０００４】
本発明が解決しようとする課題には、上記の問題点が一例として挙げられ、　任意の固定パターンを表示する表示パネルを短時間でかつ低コストで作成することができる固定表示パネル作成方法及びその任意の固定パターンを表示する表示パネルを提供することが本発明の目的である。
【０００５】
【課題を解決するための手段】
本発明の固定パターン表示パネル作成方法は、ｍ（ｍは２以上の整数）本の駆動線と、前記ｍ本の駆動線と交差するように配置されたｎ（ｎは２以上の整数）本の走査線と、前記ｍ本の駆動線と前記ｎ本の走査線との各交差部分に配置されて各々が不揮発性の２値メモリ素子と自発光素子とからなり、前記メモリ素子が２値のうちの一方の値を保持するとき前記自発光素子が駆動線と走査線との間に対して電気的に非接続の状態となり、前記メモリ素子が２値のうちの他方の値を保持するとき前記自発光素子が前記駆動線と走査線との間に対して電気的に接続の状態となる複数の画素部と、を備えたマトリックス表示パネルから固定パターン表示パネルを作成する方法であって、所定の固定パターンに対応させて前記複数の画素部各々の前記メモリ素子の保持状態を前記２値のうちの一方又は他方の値に変化させる書込ステップと、前記ｍ本の駆動線を共通接続して一方の電極とし、前記ｎ本の走査線を共通接続して他方の電極とする電極作成ステップと、を備えたことを特徴としている。
【０００６】
また、本発明の固定パターン表示パネルは、ｍ（ｍは２以上の整数）本の駆動線と、前記ｍ本の駆動線と交差するように配置されたｎ（ｎは２以上の整数）本の走査線と、前記ｍ本の駆動線と前記ｎ本の走査線との各交差部分に配置されて各々が不揮発性の２値メモリ素子と自発光素子とからなり、所定の固定パターンに対応して各々の前記メモリ素子が２値のうちの一方又は他方の値を保持しており、前記メモリ素子が前記一方の値を保持しているとき前記自発光素子が駆動線と走査線との間に対して電気的に非接続の状態となり、前記メモリ素子が前記他方の値を保持しているとき前記自発光素子が前記駆動線と走査線との間に対して電気的に接続の状態となる複数の画素部と、前記ｍ本の駆動線を共通接続した一方の電極と、前記ｎ本の走査線を共通接続した他方の電極と、を備えたことを特徴としている。
【０００７】
本発明のデータ書込装置は、ｍ（ｍは２以上の整数）本の駆動線と、前記ｍ本の駆動線と交差するように配置されたｎ（ｎは２以上の整数）本の走査線と、前記ｍ本の駆動線と前記ｎ本の走査線との各交差部分に配置されて各々が不揮発性の２値メモリ素子と自発光素子との直列回路からなり、前記メモリ素子が２値のうちの一方の値を保持しているとき前記自発光素子が駆動線と走査線との間に対して電気的に非接続の状態となり、前記メモリ素子が２値のうちの他方の値を保持しているとき前記自発光素子が前記駆動線と走査線との間に対して電気的に接続の状態となる複数の画素部と、を備えたマトリックス表示パネルの前記メモリ素子に対して固定パターンデータを書き込む書込装置であって、前記所定の固定パターンに対応したｍ×ｎビットのパターンデータを作成する手段と、前記ｎ本の走査線を所定の順番に走査し走査中の走査線にアース電位を印加する走査手段と、前記ｍ×ｎビットのパターンデータのうちの前記走査中の走査線に対応するｍビットを取り出し、そのｍビットのうちの発光を示すビットに対応した駆動線に前記書込電圧を印加する駆動手段と、を備えたことを特徴としている。
【０００８】
【発明の実施の形態】
以下、本発明の実施例を図面を参照しつつ詳細に説明する。
図１は本発明による固定表示パネル作成方法において用いられる表示パネル書込装置を示している。この書込装置は、表示パネル１に表示データを書き込む装置であり、コネクタ２ａ，２ｂと、書込制御回路３と、書込電圧印加回路４と、走査回路５とを備えている。
【０００９】
表示パネル１は、マトリックス表示パネルであり、各々が平行に配置された複数の駆動線Ａ１〜Ａｍ（ｍは２以上の整数）と複数の走査線Ｂ１〜Ｂｎ（ｎは２以上の整数）とを備えている。複数の駆動線Ａ１〜Ａｍと複数の走査線Ｂ１〜Ｂｎとは互いに交差している。複数の駆動線Ａ１〜Ａｍと複数の走査線Ｂ１〜Ｂｎとの交差位置各々に有機メモリ素子Ｍ１，１〜Ｍｍ，ｎと有機ＥＬ素子（有機エレクトロルミネッセンス素子）ＥＬ１，１〜ＥＬｍ，ｎとの直列回路が画素部として形成されている。駆動線Ａ１〜Ａｍ及び走査線Ｂ１〜Ｂｎ各々は表示パネル１の本体部分から突出した端子部分を有する。
【００１０】
有機メモリ素子Ｍ１，１〜Ｍｍ，ｎは、２端子のスイッチ機能を有する素子であり、ＯＢＤ（ｏｒｇａｎｉｃ　ｂｉｓｔａｂｌｅ　ｍｅｍｏｒｙ　ｄｅｖｉｃｅ）と呼ばれている素子である。その素子は初期状態ではその両端間に閾値電圧Ｖｔｈ（例えば、３Ｖ）より小なる電圧が印加される限りにおいては高インピーダンスとなり、スイッチとしてはオフ状態である。その両端間に閾値電圧Ｖｔｈ以上の書込電圧が一度でも印加されると、低インピーダンスとなり、スイッチとしてはオン状態となる。一旦、低インピーダンスになると、その低インピーダンス状態はその素子に逆バイアスが印加されない限り保持される。
【００１１】
コネクタ２ａ，２ｂは、表示パネル１を書込装置に着脱自在に装着するためのものである。コネクタ２ａは表示パネル１の複数の駆動線Ａ１〜Ａｍの端子部分と書込電圧印加回路４とを機械的及び電気的に中継接続する装置である。コネクタ２ｂは表示パネル１の複数の走査線Ｂ１〜Ｂｎの端子部分と走査回路５とを機械的及び電気的に中継接続する装置である。
【００１２】
書込制御回路３は、表示パネル１に表示させるパターンのための表示データを入力する。表示データはビットマップデータのように画素単位の画像データであっても良いし、ＪＰＥＧデータのように圧縮された画像データでも良い。また、テキストデータでも良いし、更には画像データとテキストデータとの組み合わせデータでも良い。書込制御回路３は、その入力表示データに応じて表示パネル１の各画素に対応したｍ×ｎビットのパターンデータを作成し、パターンデータに応じて線順次走査方式で書込制御信号及び走査制御信号を発生する。走査制御信号は走査線Ｂ１〜Ｂｎのうちの１走査線を順次指定して発生される信号であり、走査回路５に供給される。書込制御信号はパターンデータの１ライン（ｍビット）ずつ走査制御信号の走査タイミングに同期して発生され、書込電圧印加回路４に供給される。
【００１３】
書込電圧印加回路４は、書込制御信号に応じてｍビット分の書込信号をコネクタ２ａを介して駆動線Ａ１〜Ａｍに出力する。書込信号は発光させるべきＥＬ素子に対応した駆動線に対しては書込電圧を印加し、非発光となるべきＥＬ素子に対応した駆動線に対してはアース電位を印加するか開放状態とする信号である。走査回路５は、走査制御信号に応じてアース電位をコネクタ２ｂを介して複数の走査線Ｂ１〜Ｂｎのうちの走査線Ｂ１から順に所定の走査タイミングで１走査線ずつ印加する。
【００１４】
かかる構成の表示パネル書込装置においては、データ書込の際には、先ず、初期状態にある表示パネル１がコネクタ２ａ，２ｂによって装着される。表示パネル１の装着後、表示データが書込制御回路３に入力される。表示データは例えば、パーソナルコンピュータ（図示せず）から書込制御回路３に供給される。書込制御回路３は、その表示データに応じて表示パネル１の各画素に対応したｍ×ｎビットのパターンデータを作成し、パターンデータに応じて線順次走査方式で書込制御信号及び走査制御信号を発生する。
【００１５】
走査制御信号に応じて走査回路５からはアース電位がコネクタ２ｂを介して複数の走査線Ｂ１〜Ｂｎのうちの走査線Ｂ１から順に所定の走査タイミングで１走査線ずつ印加される。その１走査線毎の走査タイミングに同期して書込制御信号に応じた書込信号が書込電圧印加回路４からコネクタ２ａを介して駆動線Ａ１〜Ａｍに出力される。
【００１６】
走査線Ｂ１にアース電位が印加された走査線Ｂ１の走査期間には、ｍ×ｎビットのパターンデータの１ライン目のｍビットに対応して書込信号は生成される。その書込信号のうちのｍビットの１ビット目、すなわち駆動線Ａ１に対応したビット成分が書込電圧を有するならば、その書込電圧は駆動線Ａ１と走査線Ｂ１との間に位置する有機メモリ素子Ｍ１，１と有機ＥＬ素子ＥＬ１，１との直列回路に印加される。有機メモリ素子Ｍ１，１は初期状態では高インピーダンスであり、その高インピーダンスは有機ＥＬ素子ＥＬ１，１に比べても十分に大きい。よって、有機メモリ素子Ｍ１，１の両端間には閾値電圧Ｖｔｈ以上の電圧が印加されることになる。これにより、有機メモリ素子Ｍ１，１は低インピーダンスに変化し、オン状態となる。この有機メモリ素子Ｍ１，１はその低インピーダンスを保持する。
【００１７】
有機メモリ素子Ｍ１，１の低インピーダンス化により、書込電圧による電流が書込電圧印加回路４からコネクタ２ａ、駆動線Ａ１、有機メモリ素子Ｍ１，１、有機ＥＬ素子ＥＬ１，１、走査線Ｂ１及びコネクタ２ｂを介して走査回路５に流れ込む。このとき有機ＥＬ素子ＥＬ１，１には発光閾値電圧以上の電圧が印加されるので、有機ＥＬ素子ＥＬ１，１は発光する。
【００１８】
走査線Ｂ１の走査期間に駆動線Ａ１以外の駆動線に対しても書込電圧が供給された場合には、上記の駆動線Ａ１の場合と同様に、その駆動線に対応した有機メモリ素子が低インピーダンスとなり、その有機メモリ素子に接続された有機ＥＬ素子ＥＬ１，１が発光する。
走査線Ｂ１の走査期間が終了すると、次の走査線Ｂ２の走査期間となり、その走査タイミングに同期してｍ×ｎビットのパターンデータの２ライン目のｍビットに対応して書込信号が書込電圧印加回路４からコネクタ２ａを介して駆動線Ａ１〜Ａｍに出力される。
【００１９】
このように走査線Ｂｎまでの走査期間が繰り返されると、表示パネル１へのデータ書込が終了する。表示パネル１はｍ×ｎビットのパターンデータに対応して有機メモリ素子Ｍ１，１〜Ｍｍ，ｎにデータが書き込まれた状態である。すなわち、表示パネル１中の発光させるべき有機ＥＬ素子に直列に接続された有機メモリ素子は低インピーダンスになっており、非発光にさせるべき有機ＥＬ素子に直列に接続された有機メモリ素子は高インピーダンスのままである。
【００２０】
その後、コネクタ２ａ，２ｂ各々の接続を開放させることによって表示パネル１は書込装置から取り外される。取り外された表示パネル１においては、図２に示すように、駆動線Ａ１〜Ａｍの端子部分が接続線Ｌ１によって共通接続され、走査線Ｂ１〜Ｂｎの端子部分が接続線Ｌ２によって共通接続される。駆動線Ａ１〜Ａｍの端子部分の共通接続が陽極電極端子Ｔ＋に接続され、走査線Ｂ１〜Ｂｎの端子部分の共通接続が陰極電極端子Ｔ−に接続される。陽極電極端子Ｔ＋及び陰極電極端子Ｔ−は図２においては表示パネル１の外部に配置されているが、表示パネル１内に設けても良い。
【００２１】
具体的には、図３に示すように、駆動線Ａ１〜Ａｍの端子端部分が陽極側の取り出し電極１１上に置かれ、図示しない導電ペーストで駆動線Ａ１〜Ａｍが取り出し電極１１に接着される。同様に、走査線Ｂ１〜Ｂｎの端子部分が陰極側の取り出し電極１２上に置かれ、導電ペーストで走査線Ｂ１〜Ｂｎが取り出し電極１２に接着される。取り出し電極１１，１２は図３から分かるように長手の導電性の平板材からなり、その一端が電極端子１１ａ，１２ａとなっている。
【００２２】
また、図４に示すように、異方導電フィルム１３によって駆動線Ａ１〜Ａｍの端子部分を基板１５に圧着し、異方導電フィルム１４によって走査線Ｂ１〜Ｂｎの端子部分を基板１５に圧着しても良い。この場合には異方導電フィルム１３の一端が陽極電極端子１３ａとなり、異方導電フィルム１４の一端が陰極電極端子１４ａとなる。
【００２３】
陽極及び陰極電極が形成された表示パネル１は、本発明による固定表示パネル作成方法にて作成された表示パネルであり、例えば、商品として販売される。また、電極形成後の表示パネル１は、ユーザ側では書き込まれたパターンで固定表示を行う表示パネルとして使用される。
表示パネル１の駆動方法は、電圧駆動及び電流駆動のいずれでも良い。簡単な電圧駆動方法は、図５に示すように、表示パネル１の陽極電極端子Ｔ＋と陰極電極端子Ｔ−と間に電池２１を接続して所定の直流電圧（閾値電圧Ｖｔｈより低い電圧）を表示パネル１の電極間に印加することである。電池２１と陽極電極端子Ｔ＋又は陰極電極端子Ｔ−と間にオンオフスイッチを設けても良い。また、電池２１、陽極電極端子Ｔ＋及び陰極電極端子Ｔ−（上記のオンオフスイッチを含む場合にはそれも）は、表示パネル１と一体に構成しても良い。
【００２４】
電圧駆動及び電流駆動のいずれの駆動方法を用いた場合であっても、低インピーダンスの有機メモリ素子と直列に接続された有機ＥＬ素子には駆動電流が流れ、その駆動電流によってその有機ＥＬ素子は発光する。一方、高インピーダンスの有機メモリ素子と直列に接続された有機ＥＬ素子にはほどんど電流がながれず、その有機ＥＬ素子は非発光となる。表示パネル１においては有機ＥＬ素子の発光とそれ以外の非発光によってデータ書込に対応したパターンが表示される。
【００２５】
なお、上記した実施例においては、表示パネル１の各画素部の有機メモリ素子と有機ＥＬ素子とは直列に接続されているが、これに限らない。各画素部における有機メモリ素子と有機ＥＬ素子とは、有機メモリ素子が２値のうちの一方の状態にあるとき有機ＥＬ素子が駆動線と走査線との間に対して電気的に非接続の状態となり、有機メモリ素子が２値のうちの他方の状態にあるとき有機ＥＬ素子が駆動線と走査線との間に対して電気的に接続の状態となるならば、並列等の他の接続状態でも良い。
【００２６】
また、マトリックス表示パネルの各画素部のメモリ素子は有機メモリ素子に限らず、２値の状態を選択的に保持できる素子であれば良い。また、各画素部の自発光素子は有機ＥＬ素子に限らず、ＬＥＤ等の他の自発光素子でも良い。
更に、本発明で用いられるマトリックス表示パネルは、モノクロ表示でも良いし、多色カラー表示のものでも良い。
【００２７】
以上の如く、本発明によれば、マトリックス表示パネルを用いて所定の固定パターンに対応させて複数の画素部各々のメモリ素子の保持状態を２値のうちの一方又は他方の値に変化させ、ｍ本の駆動線を共通接続して一方の電極とし、ｎ本の走査線を共通接続して他方の電極とするので、任意の固定パターンを表示する表示パネルを短時間でかつ低コストで作成することができる。
【図面の簡単な説明】
【図１】本発明による固定パターン表示パネル作成方法において用いられる表示パネル書込装置の構成を示すブロック図である。
【図２】本発明による表示パネルを示す図である。
【図３】表示パネルの電極端子接続を示す図である。
【図４】表示パネルの電極端子接続を示す図である。
【図５】本発明による表示パネルの駆動構成を示す図である。
【符号の説明】
１　表示パネル
３　書込制御回路
４　書込電圧印加回路
５　走査回路
Ａ１〜Ａｍ　駆動線
Ｂ１〜Ｂｎ　走査線
ＥＬ１，１〜ＥＬｍ，ｎ　有機ＥＬ素子
Ｍ１，１〜Ｍｍ，ｎ　有機メモリ素子
【図１】
2004101983.tif 000003
【図２】
2004101983.tif 000004
【図３】
2004101983.tif 000005
【図４】
2004101983.tif 000006
【図５】
2004101983.tif 000007